(57)【要約】【課題】車内の臭いの強さに応じて段階的に消臭し、車外の大気成分を考慮しながら消臭の度合いに応じて車内に外気を導入して換気することができる車内消臭装置を提供する。【解決手段】車載ＣＰＵ５が、消臭器７による車内の消臭度合いに応じて換気操作部８または窓開閉操作部９を制御して車内に外気を導入し、臭い検出部４によって特定の種類の外気成分が外気中に所定の値以上含まれていると判別された場合は、換気操作部８および窓開閉操作部９を制御して車内に外気を導入せずに、消臭器７による消臭を継続する。【選択図】図１
2014237383.tif 000002
【特許請求の範囲】
【請求項１】
車両に搭載されて車内の消臭を行う車内消臭装置であって、
車内の臭いを検出する車内臭い検出部と、
車外の大気成分を検出する大気成分検出部と、
消臭すべき臭いの種類と臭いの強さの許容値を設定する設定部と、
前記車内臭い検出部により検出された臭いの種類と強さが、前記設定部により設定された消臭すべき臭いの種類で前記許容値を超えているかどうかを判別し、前記大気成分検出部により検出された大気成分の種類と大気中の含有量が、特定の種類の大気成分であり、かつ大気中に所定の値以上含まれているかどうかを判別する判別処理部と、
車内の消臭を行う消臭処理部と、
前記車両の換気通路を通じて車内に外気を導入して換気する換気操作部と、
前記車両の窓の開閉を行う窓開閉操作部と、
前記判別処理部によって車内の臭いが前記設定部で設定された種類の臭いで前記許容値を超えていると判別された場合に、前記消臭処理部を制御して車内の消臭を行う制御部とを備え、
前記制御部は、
前記消臭処理部による車内の消臭度合いに応じて前記換気操作部または前記窓開閉操作部を制御して車内に外気を導入し、
前記判別処理部によって特定の種類の大気成分が大気中に所定の値以上含まれていると判別された場合は、前記換気操作部および前記窓開閉操作部を制御して車内に外気を導入せずに、前記消臭処理部による消臭を継続することを特徴とする車内消臭装置。
【請求項２】
前記設定部で設定された種類の臭いが許容値を超えていること、および、特定の種類の大気成分が大気中に所定の値以上含まれていることを通知する通知部を備えたことを特徴とする請求項１記載の車内消臭装置。
【請求項３】
前記判別処理部は、前記車内臭い検出部により検出された臭いを消臭すべき臭いとして記憶し、
前記制御部は、前記判別処理部によって車内の臭いが前記記憶した臭いの種類で前記許容値を超えていると判別された場合に、前記消臭処理部を制御して車内の消臭を行うことを特徴とする請求項１または請求項２記載の車内消臭装置。
【請求項４】
前記判別処理部は、前記大気成分検出部により検出された大気成分を前記特定の種類の大気成分として記憶し、
前記制御部は、前記判別処理部によって大気成分が前記記憶した特定の種類の大気成分でかつ大気中に所定の値以上含まれていると判別された場合には、前記換気操作部および前記窓開閉操作部を制御して車内に外気を導入せずに、前記消臭処理部による消臭を継続することを特徴とする請求項１から請求項３のうちのいずれか１項記載の車内消臭装置。
【発明の詳細な説明】
【技術分野】
【０００１】
この発明は、車内の消臭を行う車内消臭装置に関する。
【背景技術】
【０００２】
従来から、車内の特定の臭い濃度を検出し、臭い濃度が所定値を超えた場合に利用者に対して警告を発する装置が提案されている（例えば、特許文献１参照）。
また、特許文献２には、車両が注意喚起エリアに到着する前に運転者を覚醒させるために香りを発生する装置が開示されている。
さらに、特許文献３に記載される臭い調整装置では、複数種類の臭いを検出し、臭いの種類ごとに臭いの度合いを表す評価値を算出し、評価値に基づいて複数種類の臭いが特定の感覚にもたらす感覚量を推定して、感覚量に基づき臭いを目的の感覚量をもたらすべき臭いに調整している。
【先行技術文献】
【特許文献】
【０００３】
【特許文献１】特開２００１−３０１５７５号公報
【特許文献２】国際公開第２００９／０３７８７３号
【特許文献３】特開平９−０６６２１８号公報
【発明の概要】
【発明が解決しようとする課題】
【０００４】
特許文献１〜３に代表される従来の技術は、車内で特定の臭い（例えば、煙草の臭い）が検出されると警告を発したり、積極的に特定の香り（臭い）を車内に放出するものであるが、利用者が嫌う特定の臭いを消臭するものではない。
一般的に、車内の消臭は消臭剤を噴霧することにより行われるが、臭い濃度によってはエアコンで換気を行い、それでも臭い濃度が低下しない場合には、窓を開けてさらに外気を導入する必要がある。
しかしながら、従来では車内の臭いのみを検出して消臭を行っているため、車両周囲の空気が排ガスなどによって汚染されている場合であっても、車内で発生した臭いの濃度によっては外気が車内に導入されてしまう可能性があるという課題があった。
【０００５】
この発明は、上記のような課題を解決するためになされたもので、車内の臭いの強さに応じて段階的に消臭し、車外の大気成分を考慮しながら消臭の度合いに応じて車内に外気を導入して換気することができる車内消臭装置を得ることを目的とする。
【課題を解決するための手段】
【０００６】
この発明に係る車内消臭装置は、車両に搭載されて車内の消臭を行う車内消臭装置であって、車内の臭いを検出する車内臭い検出部と、車外の大気成分を検出する大気成分検出部と、消臭すべき臭いの種類と臭いの強さの許容値を設定する設定部と、車内臭い検出部により検出された臭いの種類と強さが、設定部により設定された消臭すべき臭いの種類で許容値を超えているかどうかを判別し、大気成分検出部により検出された大気成分の種類と大気中の含有量が、特定の種類の大気成分であり、かつ大気中に所定の値以上含まれているかどうかを判別する判別処理部と、車内の消臭を行う消臭処理部と、車両の換気通路を通じて車内に外気を導入して換気する換気操作部と、車両の窓の開閉を行う窓開閉操作部と、判別処理部によって車内の臭いが設定部で設定された種類の臭いで許容値を超えていると判別された場合に、消臭処理部を制御して車内の消臭を行う制御部とを備え、制御部は、消臭処理部による車内の消臭度合いに応じて換気操作部または窓開閉操作部を制御して車内に外気を導入し、判別処理部によって特定の種類の大気成分が大気中に所定の値以上含まれていると判別された場合は、換気操作部および窓開閉操作部を制御して車内に外気を導入せずに、消臭処理部による消臭を継続することを特徴とする。
【発明の効果】
【０００７】
この発明によれば、車内の臭いの強さに応じて段階的に消臭し、車外の大気成分を考慮しながら消臭の度合いに応じて車内に外気を導入して換気することができるという効果がある。
【図面の簡単な説明】
【０００８】
【図１】この発明の実施の形態１に係る車内消臭装置の構成を示すブロック図である。
【図２】設定用画面の一例を示す図である。
【図３】実施の形態１に係る車内消臭装置の動作を示すフローチャートである。
【図４】警告／動作通知画面の一例を示す図である。
【発明を実施するための形態】
【０００９】
実施の形態１．
図１は、この発明の実施の形態１に係る車内消臭装置の構成を示すブロック図である。図１において、車内消臭装置１は、車両に搭載されて車内を消臭する消臭装置であって、車内臭い検出器２、大気成分検出器３、臭い検出部４、車載ＣＰＵ５、消臭調整器６、消臭器７、換気操作部８、窓開閉操作部９、警告／動作通知部１０および設定部１１を備えて構成される。また、臭い検出部４は、臭い成分／強さ検出器４０、大気成分／強さ検出器４１、Ａ／Ｄコンバータ４２，４３および臭い検出処理部４４を備える。
【００１０】
車内臭い検出器２は、車内の臭いを検出する車内臭い検出部であり、例えば、あらかじめ定められた種類の臭いをそれぞれ検出する複数の臭いセンサから構成される。または、複数種類の臭いを１つの臭いセンサで検出できる臭いセンサを用いてもよい。
検出対象の臭いの種類としては、芳香剤、食品、ペット、体臭、口臭、車載空調装置（エアコン）のカビ、シートなどの車内部品、煙草などの臭い成分が挙げられる。
【００１１】
大気成分検出器３は、車外の大気成分を検出する大気成分検出部であって、人の健康に有害な物質となる特定の種類の大気成分を検出する。例えば、花粉（スギ、ヒノキなど）、車両の排ガス成分（ＨＣｌ，ＮＯｘ，ＳＯｘ、多環芳香族など）、微小粒子状物質（ＰＭ２．５、黄砂など）、揮発性有機化合物（ＶＯＣ）、大気粉塵中の無機成分、アルデヒド類などを検出する。これらの大気成分を検出する検出器は、現状では大型のものが多いが、車載用に小型化が進んでいる。
【００１２】
臭い検出部４は、車内臭い検出器２により検出された臭いの種類と強さが、設定部１１により設定された消臭すべき臭いの種類で許容値を超えているかどうかを判別し、大気成分検出器３により検出された大気成分の種類と大気中の含有量が、特定の種類の大気成分であり、かつ大気中に所定の値以上含まれているかどうかを判別する判別処理部である。
例えば、車内臭い検出器２および大気成分検出器３の各検出データ（臭い情報、大気情報）の分析処理を行う情報処理装置の１つの機能として実現される。
【００１３】
臭い成分／強さ検出器４０は、車内臭い検出器２によって検出された臭いの種類と強さを検出する検出器である。例えば、車内臭い検出器２が検出した臭いの中から検出対象の種類の臭いを検出し、その強さを表すアナログ値を算出する。
大気成分／強さ検出器４１は、大気成分検出器３によって検出された大気成分の種類と大気中の含有量を検出する検出器である。例えば、大気成分検出器３によって検出された大気成分の中から検出対象の種類の大気成分を検出し、その大気中の含有量を表すアナログ値を算出する。
【００１４】
Ａ／Ｄコンバータ４２は、車内臭い成分／強さ検出器４０が検出した臭いの種類とその強さを表すアナログデータを入力し、これをアナログ／デジタル変換して臭い検出処理部４４に出力する。また、Ａ／Ｄコンバータ４３は、大気成分／強さ検出器４１が検出した大気成分の種類とその含有量を表すアナログデータを入力し、これをアナログ／デジタル変換して臭い検出処理部４４に出力する。
【００１５】
臭い検出処理部４４は、Ａ／Ｄコンバータ４２から入力したデジタルデータを用いて、車内で発生している臭いの種類を判別し、その強さを数値レベル（５段階程度のレベル）に換算する。また、臭い検出処理部４４は、Ａ／Ｄコンバータ４３から入力したデジタルデータを用いて車外の大気成分の種類を判別し、その大気成分の大気中における含有量を数値レベル（５段階程度のレベル）に換算する。
なお、臭いの強さを示す数値レベルは、必ずしも臭いの濃度を正確に定量した値でなくてもよく、車内の全ての臭い成分における相対的な値であってもよい。
この数値レベルは、設定部１１で臭いの強さの許容値を設定する際に用いられる。
また、大気成分の含有量を示す数値レベルは、必ずしも大気成分の含有量を正確に定量した値でなくてもよく、大気中における相対的な値であってもよい。
この数値レベルは、換気操作部８または窓開閉操作部９で行う換気を禁止すべきか否かを判断する大気成分の所定の値を設定する際に用いられる。
また、臭い検出処理部４４は、車内臭い検出器２により検出された臭いの種類と強さ（数値レベル）が、設定部１１により設定された消臭すべき臭いの種類で許容値を超えているかどうかを判別するとともに、大気成分検出器３によって検出された大気成分の種類と大気中の含有量が、特定の種類の大気成分でありかつ大気中に所定の値以上含まれているかどうかを判別する。
【００１６】
車載ＣＰＵ５は、エンジン制御などの車両制御に用いられるＣＰＵであって、臭い検出部４によって車内の臭いが設定部１１で設定された種類の臭いでその強さが許容値を超えていると判別された場合に、消臭器７を制御して車内の消臭を行う制御部である。
消臭器７の制御は、消臭剤の調整を消臭調整器６に指示することにより、消臭調整器６を介して行われる。
また、車載ＣＰＵ５は、消臭器７による車内の消臭度合いに応じて換気操作部８または窓開閉操作部９を制御して車内に外気を導入して換気を行い、臭い検出部４によって特定の種類の大気成分が大気中に所定の値以上含まれていると判別された場合は、換気操作部８および窓開閉操作部９を制御して車内に外気を導入せずに、消臭器７による消臭を継続する。このようにすることで、車内の臭いを強さに応じて段階的に消臭し、車外の大気成分を考慮しながら消臭の度合いに応じて車内に外気を導入して換気することができる。
【００１７】
なお、車内の消臭動作を制御する制御部を、車載ＣＰＵ５で実現する場合を示したが、例えば、臭い検出部４として機能する情報処理装置のマイクロコンピュータで実現してもよい。すなわち、車内消臭装置１の各機能を記述したプログラムをマイクロコンピュータが実行することにより、ハードウェアとソフトウェアが協働した具体的な手段として実現される。
【００１８】
消臭調整器６は、消臭器７の消臭動作を制御する。例えば、車載ＣＰＵ５から指示された消臭剤の噴霧量および噴霧時間を消臭器７に設定して消臭動作を調整する。
消臭器７は、車内の消臭を行う消臭器である。例えば、二酸化塩素などの消臭剤を噴霧して消臭を行う。消臭調整器６および消臭器７が消臭処理部として機能する。
なお、消臭剤を噴霧する噴霧タイプの消臭器を例に挙げたが、マイナスイオンを発生して消臭を行うイオン発生式の消臭器であってもよく、自動で消臭するものであれば、その方法は問わない。
【００１９】
換気操作部８は、車両の換気通路を通じて車内に外気を導入して換気する換気操作部であり、車載ＣＰＵ５からの制御により換気動作を行う。例えば、換気通路を介して車外に連通している、車内に設けられた吹き出し口から空調気流を吹き出す車載空調装置（エアコン）が挙げられる。
窓開閉操作部９は、車両の窓の開閉を行う窓開閉操作部であって、車載ＣＰＵ５からの制御により車両の窓の開閉を行う（パワーウィンドウ）。
【００２０】
警告／動作通知部１０は、車内消臭装置１の動作状態や警告を通知する通知部であり、通知内容を表示する表示部と、通知内容を音声出力するスピーカ（音声出力部）を備えて構成される。例えば、設定部１１で設定された種類の臭いが、許容値を超える強さ（数値レベル）であること、および人の健康に有害な物質となる特定の種類の大気成分が大気中に所定の値（数値レベル）以上含まれていることを通知する。
このようにすることで、利用者が、車内の環境がどのようになっているから消臭が開始されたのか、または、自動で換気を行えない理由を知ることができ、利便性が向上する。
【００２１】
設定部１１は、消臭すべき臭いの種類と臭いの強さの許容値を設定する設定部である。例えば、消臭すべき臭いの種類と臭いの強さの許容値を設定する設定用画面を表示する表示部と、この設定用画面に基づいて利用者から消臭すべき臭いの種類と臭いの強さの許容値の入力を受け付ける入力部（例えば、タッチパネルなど）とを備えた設定用のＨＭＩ（Ｈｕｍａｎ  Ｍａｃｈｉｎｅ  Ｉｎｔｅｒｆａｃｅ）を提供する。
【００２２】
図２は、上述した設定部１１が提供する設定用画面の一例を示す図である。図２に示す設定用画面１１Ａには、車内臭い種類設定ボタン１１ａ、車内臭い保存ボタン１１ｂ、車内消臭レベル設定ボタン１１ｃ、車内自動消臭オン／オフボタン１１ｄ、車内消臭メッセージオン／オフボタン１１ｅ、車外成分種類設定ボタン１１ｆ、車外成分保存ボタン１１ｇ、および、車外成分レベル設定ボタン１１ｈを備えて構成される。各ボタン１１ａ〜１１ｈの選択（押下）は、例えば、タッチパネルのタッチ操作やハードキーで指定して行う。
【００２３】
車内臭い種類設定ボタン１１ａが選択された場合、設定部１１は、設定用画面１１Ａから、消臭すべき臭いの種類を設定する画面に遷移させる。
例えば、車内臭い種類設定ボタン１１ａが選択されると、設定部１１が、車内臭い検出器２で検出可能な臭いの種類をリスト表示し、リスト表示された臭い種類の中から消臭すべき臭いの種類を受け付ける。受け付けた設定内容は、設定部１１から車載ＣＰＵ５を介して臭い検出処理部４４に記憶される。
利用者が消臭を希望する臭いの種類として、芳香剤、食品、ペット、体臭、口臭、車載空調装置（エアコン）のカビ、シートなどの車内部品、煙草などの臭い成分が設定される。この設定は、利用者ごとに行ってもよい。車両に複数の利用者が乗車している場合は、例えば、臭いの強さの許容値が最も低い利用者を基準とすることが考えられる。
【００２４】
車内臭い保存ボタン１１ｂが選択された場合、設定部１１は、車載ＣＰＵ５に対して、臭い保存要求されたことを通知する。
車載ＣＰＵ５は、臭い保存要求を受けると、臭い検出部４の臭い検出処理部４４に対して、車内臭い検出器２が現在検出した臭いを、消臭すべき臭いとして記憶するように指示する。
臭い検出処理部４４は、車載ＣＰＵ５からの指示に従って車内臭い検出器２が検出した臭いを、消臭すべき臭いとして記憶する。
このようにすることで、利用者が消臭して欲しい臭いの種類を特定できない場合や実際に車内で発生している臭いの種類が消臭すべき臭いとして設定されていなかった場合であっても、消臭すべき臭いとして適宜登録することが可能である。
【００２５】
車内消臭レベル設定ボタン１１ｃが選択された場合、設定部１１は、車内臭い種類設定ボタン１１ａで設定された臭いの種類について臭いの強さの許容値の設定を受け付ける。許容値は、臭い検出処理部４４が換算する上記数値レベル（５段階程度のレベル）で表現される。すなわち、数値レベルの選択画面を表示して許容値の数値レベルを設定する。
なお、車内臭い種類設定ボタン１１ａで設定された臭いの種類の許容値に加え、消臭が完了したと判断する臭いの強さを設定してもよい。
【００２６】
車内自動消臭オン／オフボタン１１ｄでオンが選択された場合、設定部１１は、車内消臭装置１による自動消臭モードが設定されたものとして車載ＣＰＵ５に通知する。これにより、図３を用いて後述する自動消臭動作が実行される。
また、車内自動消臭オン／オフボタン１１ｄでオフが選択された場合には、設定部１１が、車内消臭装置１による自動消臭モードが停止されたものとして車載ＣＰＵ５に通知する。これにより、上記自動消臭動作は実行されない。
【００２７】
車内消臭メッセージオン／オフボタン１１ｅでオンが選択された場合、設定部１１は、車内消臭メッセージがオンされたことを車載ＣＰＵ５に通知する。この通知を受けると、車載ＣＰＵ５は、警告／動作通知部１０に指示して、自動で車内の消臭が行われる際に、警告／動作通知部１０が車内消臭メッセージを利用者に通知する。
なお、車内消臭メッセージとは、自動消臭の開始、消臭すべき臭いの種類とその強さを通知するメッセージである。
車内消臭メッセージオン／オフボタン１１ｅでオフが選択された場合、設定部１１は、車内消臭メッセージがオフされたことを車載ＣＰＵ５に通知する。この通知を受けると、車載ＣＰＵ５は、警告／動作通知部１０に指示して車内消臭メッセージを通知させない。
【００２８】
車外成分種類設定ボタン１１ｆが選択された場合、設定部１１は、設定用画面１１Ａから、換気の禁止を判断する大気成分の種類を設定する画面に遷移させる。
例えば、車外成分種類設定ボタン１１ｆが選択されると、設定部１１が、大気成分検出器３で検出可能な大気成分の種類をリスト表示し、リスト表示された大気成分の種類の中から、換気の禁止を判断する大気成分の種類を受け付ける。受け付けた設定内容は、設定部１１から車載ＣＰＵ５を介して臭い検出処理部４４に記憶される。
換気の禁止を判断する大気成分の種類としては、花粉（スギ、ヒノキなど）、車両の排ガス成分（ＨＣｌ，ＮＯｘ，ＳＯｘ、多環芳香族など）、微小粒子状物質（ＰＭ２．５、黄砂など）、揮発性有機化合物（ＶＯＣ）、大気粉塵中の無機成分、アルデヒド類などがあり、これらを初期設定していてもよい。
ただし、利用者によっては有害でない大気成分も含まれているため、この場合は、適宜設定から除外してもよい。例えば、花粉症でない利用者が花粉の設定を除外することなどが考えられる。
【００２９】
車外成分保存ボタン１１ｇが選択された場合、設定部１１は、車載ＣＰＵ５に対して、大気成分の保存要求されたことを通知する。
車載ＣＰＵ５は、大気成分の保存要求を受けると、臭い検出部４の臭い検出処理部４４に対して、大気成分検出器３が現在検出した大気成分を、換気の禁止を判断する特定の種類の大気成分として記憶するように指示する。
臭い検出処理部４４は、車載ＣＰＵ５からの指示に従って大気成分検出器３が検出した大気成分を、換気の禁止を判断する特定の種類の大気成分として記憶する。
このようにすることで、利用者が有害な大気成分の種類を特定できない場合や、実際に大気中に存在する大気成分が換気の禁止を判断する特定の種類の大気成分として設定されていなかった場合であっても、換気の禁止を判断する特定の種類の大気成分として適宜登録することが可能である。
【００３０】
車外成分レベル設定ボタン１１ｈが選択された場合、設定部１１は、車外成分種類設定ボタン１１ｆで設定された大気成分の種類について換気を禁止する含有量の設定を受け付ける。ここで、設定される大気成分の含有量は、臭い検出処理部４４が換算する上記数値レベル（５段階程度のレベル）で表現される。すなわち、数値レベルの選択画面を表示して、換気を禁止する数値レベルを設定する。
【００３１】
次に動作について説明する。
図３は、実施の形態１に係る車内消臭装置の動作を示すフローチャートであり、車内の消臭処理を示している。
まず、臭い検出処理部４４が、Ａ／Ｄコンバータ４２，４３から車内の臭い情報および車外の大気情報を示すデジタルデータを取得（ステップＳＴ１）して、車外の大気情報を示すデジタルデータに基づいて、特定の種類の大気成分（設定部１１で設定された人体に悪影響がある成分）が車外の大気中に所定の値以上（設定部１１で設定された数値レベル）含まれているかどうかを確認する（ステップＳＴ２）。
人体に悪影響がある成分が大気中に含まれる場合（ステップＳＴ２；ＹＥＳ）、臭い検出処理部４４は、その旨を車載ＣＰＵ５に通知する。
車載ＣＰＵ５は、この通知を受けると、窓開閉操作部９を制御することにより、開いている車両の窓を閉める（ステップＳＴ３）。このとき、車載ＣＰＵ５が、警告／動作通知部１０に指示して窓を閉める旨のメッセージを通知してもよい。
例えば、警告／動作通知部１０が、図４（ａ）に示すようなメッセージ１０ａの通知画面１０Ａを表示部に表示する。この後、ステップＳＴ２の処理に戻る。
【００３２】
人体に悪影響がある成分が大気中に含まれていない場合（ステップＳＴ２；ＮＯ）、臭い検出処理部４４は、その旨を車載ＣＰＵ５に通知する。車載ＣＰＵ５は、この通知を受けると、設定部１１を用いて利用者から自動消臭の要求、すなわち自動消臭モードに設定されているかどうかを確認する（ステップＳＴ４）。自動消臭が設定されていない場合（ステップＳＴ４；ＮＯ）、ステップＳＴ２に戻り、上述した処理を繰り返す。
【００３３】
自動消臭が設定されている場合（ステップＳＴ４；ＹＥＳ）、臭い検出処理部４４は、設定部１１で設定されて自身の記憶部に記憶された、消臭すべき臭いの種類と消臭を行うべき臭いの強さに関する設定情報を上記記憶部から読み出す（ステップＳＴ５）。
次に、臭い検出処理部４４は、車内の臭い情報のデジタルデータを用いて判別した臭いの種類とその強さの数値レベルを上記記憶部から読み出した設定情報と比較して、車内の臭いが、利用者に設定された種類の臭いでかつ臭いの強さの許容値を超えているかどうかを判別する（ステップＳＴ６）。
【００３４】
車内の臭いが、利用者に設定された種類の臭いでないか、またはその臭いの強さが許容値を超えていない場合（ステップＳＴ６；ＮＯ）、ステップＳＴ２に戻り、上述した処理を繰り返す。
車内の臭いが、利用者に設定された種類の臭いでかつ臭いの強さの許容値を超えている場合（ステップＳＴ６；ＹＥＳ）、臭い検出処理部４４は、その旨を車載ＣＰＵ５に通知する。車載ＣＰＵ５は、上記通知を受けると、警告／動作通知部１０に指示して車内消臭メッセージを通知させ、消臭調整器６に指示して消臭器７による車内の消臭を開始する（ステップＳＴ７）。例えば、警告／動作通知部１０が、図４（ｂ）に示すような車内消臭メッセージ１０ｂの通知画面１０Ｂを表示部に表示する。
また、消臭器７は、車載ＣＰＵ５の制御により、消臭剤を所定の噴霧量で所定時間だけ噴霧する。
【００３５】
臭い検出処理部４４は、車載ＣＰＵ５の制御によって車内消臭が行われている間、車内臭い検出器２による検出データに基づいた車内の臭い情報を逐次取得して、車内の臭い（利用者に設定された種類の臭い）が許容値を超えているか否かを判別する（ステップＳＴ８）。車内の臭いが許容値以下になるまで消臭の度合いが進行したと判別された場合（ステップＳＴ８；ＮＯ）、臭い検出処理部４４は、その旨を車載ＣＰＵ５に通知する。
車載ＣＰＵ５は、上記通知を受けると、警告／動作通知部１０に指示して、消臭を停止する旨を通知させ、消臭調整器６に指示して消臭器７による車内の消臭を停止する（ステップＳＴ９）。この後、ステップＳＴ２に戻り、上述した処理を繰り返す。
【００３６】
車内の臭いが許容値を超えたままであると判別された場合（ステップＳＴ８；ＹＥＳ）、臭い検出処理部４４は、車外の大気情報に基づいて、設定部１１で設定された人体に悪影響がある成分が、車外の大気中に所定の値以上（設定部１１で設定された数値レベル）含まれているかどうかを確認する（ステップＳＴ１０）。
人体に悪影響がある成分が車外の大気中に所定の値以上に含まれている場合（ステップＳＴ１０；ＹＥＳ）、臭い検出処理部４４は、その旨を車載ＣＰＵ５に通知する。
車載ＣＰＵ５は、上記通知を受けると、ステップＳＴ７に戻り、換気操作部８および窓開閉操作部９を制御して車内に外気を導入せずに、消臭器７による消臭を継続する。
【００３７】
人体に悪影響がある成分が車外の大気中に所定の値以上に含まれていない場合（ステップＳＴ１０；ＮＯ）、臭い検出処理部４４は、その旨を車載ＣＰＵ５に通知する。
車載ＣＰＵ５は、上記通知を受けると、車内の臭いを換気するため、警告／動作通知部１０に指示してエアコンで換気を行う旨を通知させ、換気操作部８を制御して車内に外気を一定時間導入する（ステップＳＴ１１）。
【００３８】
換気操作部８による一定時間の換気が終了すると、臭い検出処理部４４は、車内の臭い情報に基づいて、車内の臭い（利用者に設定された種類の臭い）が許容値を超えているか否かを判別する（ステップＳＴ１２）。
車内の臭いが許容値以下になるまで消臭の度合いが進行したと判別された場合（ステップＳＴ１２；ＮＯ）、臭い検出処理部４４は、その旨を車載ＣＰＵ５に通知する。
車載ＣＰＵ５は、上記通知を受けると、警告／動作通知部１０に指示して換気を停止する旨を通知させ、換気操作部８を制御して換気を停止する（ステップＳＴ１３）。
この後、ステップＳＴ２に戻り、上述した処理を繰り返す。
【００３９】
車内の臭いが許容値を超えたままであると判別された場合（ステップＳＴ１２；ＹＥＳ）、臭い検出処理部４４は、車外の大気情報に基づいて、設定部１１で設定された人体に悪影響がある成分が車外の大気中に所定の値以上（設定部１１で設定された数値レベル）含まれているかどうかを確認する（ステップＳＴ１４）。
人体に悪影響がある成分が車外の大気中に所定の値以上に含まれている場合（ステップＳＴ１４；ＹＥＳ）、臭い検出処理部４４は、その旨を車載ＣＰＵ５に通知する。
車載ＣＰＵ５は、上記通知を受けると、警告／動作通知部１０に指示して換気を停止する旨を通知させ、換気操作部８を制御して換気を停止する（ステップＳＴ１５）。
この後、ステップＳＴ７に戻り、換気操作部８および窓開閉操作部９を制御して車内に外気を導入せずに、消臭器７による消臭を継続する。
【００４０】
人体に悪影響がある成分が車外の大気中に所定の値以上に含まれていない場合（ステップＳＴ１４；ＮＯ）、臭い検出処理部４４は、その旨を車載ＣＰＵ５に通知する。
車載ＣＰＵ５は、上記通知を受けると、車内の臭いをさらに換気するため、警告／動作通知部１０に指示して窓を開けて換気を行う旨を通知させ、窓開閉操作部９を制御して車内に外気を一定時間導入する（ステップＳＴ１６）。
【００４１】
窓開閉操作部９による一定時間の換気が終了すると、臭い検出処理部４４は、車内の臭い情報に基づいて車内の臭い（利用者に設定された種類の臭い）が許容値を超えているか否かを判別する（ステップＳＴ１７）。
車内の臭いが許容値以下になるまで消臭の度合いが進行したと判別された場合（ステップＳＴ１７；ＮＯ）、臭い検出処理部４４は、その旨を車載ＣＰＵ５に通知する。
車載ＣＰＵ５は、上記通知を受けると、ステップＳＴ３に戻り、窓開閉操作部９を制御して車両の窓を閉める。
【００４２】
車内の臭いが許容値を超えたままであると判別された場合（ステップＳＴ１７；ＹＥＳ）、臭い検出処理部４４は、車外の大気情報に基づいて、設定部１１で設定された人体に悪影響がある成分が車外の大気中に所定の値以上（設定部１１で設定された数値レベル）含まれているかどうかを確認する（ステップＳＴ１８）。
【００４３】
人体に悪影響がある成分が車外の大気中に所定の値以上に含まれている場合（ステップＳＴ１８；ＹＥＳ）、臭い検出処理部４４は、その旨を車載ＣＰＵ５に通知する。
車載ＣＰＵ５は、上記通知を受けると、ステップＳＴ３に戻り、窓開閉操作部９を制御して車両の窓を閉め、ステップＳＴ２からの処理を繰り返す。
【００４４】
人体に悪影響がある成分が車外の大気中に所定の値以上に含まれていない場合（ステップＳＴ１８；ＮＯ）、臭い検出処理部４４は、その旨を車載ＣＰＵ５に通知する。
車載ＣＰＵ５は、上記通知を受けると、車内の臭いをさらに換気するために、ステップＳＴ１６に戻り、窓開閉操作部９を制御して車内に外気を一定時間導入する。
【００４５】
以上のように、この実施の形態１によれば、車内の臭いを検出する車内臭い検出器２と、車外の大気成分を検出する大気成分検出器３と、消臭すべき臭いの種類と臭いの強さの許容値を設定する設定部１１と、車内臭い検出器２により検出された臭いの種類と強さが、設定部１１により設定された消臭すべき臭いの種類で許容値を超えているかどうかを判別し、大気成分検出器３により検出された大気成分の種類と大気中の含有量が、特定の種類の大気成分であり、かつ大気中に所定の値以上含まれているかどうかを判別する臭い検出部４と、車内に消臭剤を放出して消臭を行う消臭器７と、車両の換気通路を通じて車内に外気を導入して換気する換気操作部８と、車両の窓の開閉を行う窓開閉操作部９と、臭い検出部４によって車内の臭いが設定部１１で設定された種類の臭いでかつ消臭を行うべき臭いの強さであると判別された場合に、消臭器７を制御して車内の消臭を行う車載ＣＰＵ５とを備え、車載ＣＰＵ５が、消臭器７による車内の消臭度合いに応じて換気操作部８または窓開閉操作部９を制御して車内に外気を導入し、臭い検出部４によって特定の種類の大気成分が大気中に所定の値以上含まれていると判別された場合は、換気操作部８および窓開閉操作部９を制御して車内に外気を導入せずに、消臭器７による消臭を継続する。
このように構成することで、車内の臭いの強さに応じて段階的に消臭し、車外の大気成分を考慮しながら消臭の度合いに応じて車内に外気を導入して換気することができる。
【００４６】
また、この実施の形態１によれば、設定部１１で設定された種類の臭いが許容値を超えていること、および、特定の種類の大気成分が大気中に所定の値以上含まれていることを通知する警告／動作通知部１０を備える。このように構成することで、利用者が、車内の環境がどのようになっているから消臭が開始されたのか、または、自動で換気を行えない理由を知ることができ、利便性が向上する。
【００４７】
さらに、この実施の形態１によれば、臭い検出部４が、車内臭い検出器２により検出された臭いを消臭すべき臭いとして記憶し、車載ＣＰＵ５が、臭い検出部４によって車内の臭いが記憶した臭いの種類で許容値を超えていると判別された場合に、消臭器７を制御して車内の消臭を行う。このようにすることで、利用者が消臭して欲しい臭いの種類を特定できない場合や実際に車内で発生している臭いの種類が消臭すべき臭いとして設定されていなかった場合であっても、消臭すべき臭いとして適宜登録することが可能である。
【００４８】
さらに、この実施の形態１によれば、臭い検出部４が、大気成分検出器３により検出された外気成分を特定の種類の大気成分として記憶し、車載ＣＰＵ５が、臭い検出部４によって大気成分が記憶した特定の種類の大気成分でかつ大気中に所定の値以上含まれていると判別された場合には、換気操作部８および窓開閉操作部９を制御して車内に外気を導入せずに、消臭器７による消臭を継続する。このようにすることで、利用者が有害な大気成分の種類を特定できない場合や、実際に大気中に存在する大気成分が換気の禁止を判断する特定の種類の大気成分として設定されていなかった場合であっても、換気の禁止を判断する特定の種類の大気成分として適宜登録することが可能である。
【００４９】
なお、本発明はその発明の範囲内において、実施の形態の任意の構成要素の変形、もしくは実施の形態の任意の構成要素の省略が可能である。
【符号の説明】
【００５０】
１  車内消臭装置、２  車内臭い検出器、３  大気成分検出器、４  臭い検出部、５  車載ＣＰＵ、６  消臭調整器、７  消臭器、８  換気操作部、９  窓開閉操作部、１０  警告／動作通知部、１０ａ，１０ｂ  メッセージ、１０Ａ，１０Ｂ  通知画面、１１  設定部、１１ａ  車内臭い種類設定ボタン、１１ｂ  車内臭い保存ボタン、１１ｃ  車内消臭レベル設定ボタン、１１ｄ  車内自動消臭オン／オフボタン、１１ｅ  車内消臭メッセージオン／オフボタン、１１ｆ  車外成分種類設定ボタン、１１ｇ  車外成分保存ボタン、１１ｈ  車外成分レベル設定ボタン、１１Ａ  設定用画面、４０  臭い成分／強さ検出器、４１  大気成分／強さ検出器、４２，４３  Ａ／Ｄコンバータ、４４  臭い検出処理部。
【図１】
2014237383.tif 000003
【図２】
2014237383.tif 000004
【図３】
2014237383.tif 000005
【図４】
2014237383.tif 000006